(57)【要約】【課題】複数の料理を同時に調理し得るようにし、夫々の料理のかおりや味が他の料理に移ることがないようにし、また、夫々が調理時間が異なる料理であっても適切な時間での調理を可能にする。【解決手段】鍋内部に仕切り板を設け、この仕切り板にて仕切られた複数の区画を形成するようにし、この各区画内に網にて形成されたざるを挿入する構成にするか、複数の小鍋を分離可能に一体化し、一体化したものが一つの鍋として同時調理可能にする。【選択図】　　　　　　図１
0003097453.tif 000002
【実用新案登録請求の範囲】
【請求項１】
内部に仕切り板を設けた鍋で、仕切り板にて区切られた区画を夫々完全に覆う蓋を有する同時分別煮物料理鍋。
【請求項２】
前記仕切り板にて区切られた区画とほぼ同一形状であって、区画内に配置し得るざるを有する請求項１の同時分別煮物料理鍋。
【請求項３】
外鍋の内部を複数に区切った形状の小鍋を配置した同時分別煮物料理鍋。
【請求項４】
鍋内部に張られた針金を有し、前記針金により仕切られた区画とほぼ同一形状の小鍋を前記針金にて区切られた区画内に配置し得るようにした同時分別煮物料理鍋。
【請求項５】
前記小鍋に蓋を設けたことを特徴とする請求項３または４の同時分別煮物料理鍋。
【考案の詳細な説明】
【０００１】
【考案の属する技術分野】
本考案は、複数の料理を同時に行ない得るようにした鍋に関するものである。
【０００２】
【従来の技術】
従来、複数の料理を一度に調理して同時に食卓に提供し得るようにした鍋が知られている。（特許文献１参照）
【０００３】
【特許文献１】特開２００１−１４５５５７号公報
この従来の鍋は、一つの鍋に一つ又は二つの仕切り板を設けて二つ又は四つに区切ったものである。これにより一度に複数の調理を行なうようにしたものである。
【０００４】
【考案が解決しようとする課題】
しかし、この従来の鍋は、複数の調理を同時に行なうもので、仕切り板にて区切られた区画中の料理の味や香り等が他の区画に移り好ましくない。又同時に加熱するものであるため加熱する時間の異なる場合、各料理を同時に仕上げることはできない。
【０００５】
本考案は、複数の料理を同時に調理し得ると共に、調理時間の異なる料理であっても、すべて適切な調理時間での調理が可能である鍋を提供するものである。
【０００６】
【課題を解決するための手段】
本考案の同時分別煮物料理鍋は、鍋内部を仕切る仕切り板を設けると共に、この仕切り板にて区切られた各区画を夫々完全に覆う蓋を設けたものであって、これにより一つの区画内の味や香り等が他の区画に移ることのないようにした。
【０００７】
また、前記の本考案の鍋において、各区画内に挿入される網製のざるを配置することにより、調理が終了したものから他の区画に影響を与えることなしにざるを引き上げることが可能になる。
【０００８】
本考案の同時分別煮物料理鍋の他の構成は、鍋内部を複数に区分する小鍋を設けたもので、小鍋毎に別の料理を同時に行ない得るようにした。また、小鍋に夫々蓋を設けることにより、一つの小鍋の味や、香り等が他の小鍋内に移ることを防止し得る。
【０００９】
また、本考案の同時分別煮物料理鍋の他の構成は、鍋を複数に分割した形状の小鍋（分割鍋）を形成しし、小鍋を磁力によりあるいは針金その他にて形成した結合部材を用いて分離可能に一体化した鍋である。
【００１０】
【考案の実施の形態】
次に、本考案の鍋の実施の形態について説明する。
【００１１】
図１、２、３、４は、本考案の第１の実施の形態を示す図である。これら図のうち、図１は蓋を除いた図、図２は蓋をした状態を示す図、図３は鍋の仕切り板にて区切られた区画内に配置される網からなるざるを示す図、図４は蓋を示す図である。これら図のうち、図１、２、３における（Ａ）はいずれも平面図、（Ｂ）はいずれも斜視図である。また、図４における（Ａ）は側面図、（Ｂ）は底面図である。
【００１２】
この第１の実施の形態の鍋は、鍋１に中央でクロスした仕切り板２を設けた構成で、仕切り板２により区切られた区画内に、この区画とほぼ同一形状であって、この各区画に挿入される四つの金網よりなるざる３を配置したものである。つまり、図１に示すように、鍋１の各区画内に、図３に示すざる３を挿入し、図２に示すように夫々各区画（各ざる３）が挿入配置されている箇所に、図４に示す蓋４を夫々かぶせて調理をする。
【００１３】
この第１の実施の形態の鍋は、各ざるに調理をすべき材料を入れた上で、それらのざる３を各区画内に挿入したうえで蓋４をして調理を行なう。
【００１４】
ここで、夫々異なる材料の異なる調理を同時に行なった場合でも、夫々蓋４がされているため、他の味、香り等が移るおそれがない。その効果を高めるためには、各蓋が接する面を気密性を保てる材料にて形成することが好ましい。つまり蓋の開け閉めをさまたげることのない程度で、気密を保ち得る材料の選択が好ましい。
【００１５】
また、各区画内に夫々ざる３を配置したことにより、調理が完了したものから夫々取り出すことが可能である。したがって調理時間が比較的大きく異なる料理を同時に調理する場合も、夫々適切な時間での調理が可能になる。この場合も、他の区画の蓋を開けることなしにざるの取り出しが可能であり、他の調理に影響を与えることがほとんどない。
【００１６】
また、本考案の鍋の第２の実施の形態について述べる。
【００１７】
図５は、本考案の第２の実施の形態を示す斜視図で、図５（Ａ）に示すような鍋１０（仕切り板なし）をクロスした方向にて分割した形状の図５の（Ｂ）に示すような小鍋（変形鍋）１１を四つ図示するように挿入配置したものである。この各小鍋１１には夫々蓋１２が設けられている。このような、各小鍋に夫々異なった材料を入れ、異なる料理を作るようにした。
【００１８】
この第２の実施の形態の鍋は、鍋（外鍋）１０内に小鍋（内鍋）１１を入れるため二つの鍋（外鍋と内鍋）が重なり合うために、底が２重になり、熱が小鍋１１に伝わりにくい。
【００１９】
これを解消するためには、鍋１０を底を除いた構成にし、鍋１０の底にあたる部分に針金または網を設けるか、各小鍋１１が挿入される箇所に夫々複数の小突起を設け、これにより小鍋を支持するようにしてもよい。例えば、図６に示すように鍋（外鍋）３０は底がなく、針金３１を設けた構成にしてある。尚、図６は、外鍋３０を底を上にして画いた斜視図である。
【００２０】
更に、図７は、この第２の実施の形態の変形例である。それは、小鍋３４の上部に鍔３５を設け、この小鍋３４を鍋（外鍋）３３の上側端部に、鍔３５を掛けることにより保持する。このような構成にすることにより、図７（Ｂ）に示すように鍋３３は単なる筒状で、針金や網等を設けることなく、しかも底が２重にならない、調理の際の加熱に支障のない分別鍋を形成できる。尚、図７において（Ａ）は断面図、（Ｂ）は底面図、（Ｃ）は小鍋の斜視図である。
【００２１】
図８は、第３の実施の形態を示すもので、図５の（Ｂ）に示す小鍋と同様の形状の小鍋４０を四つを図に示すように組み合わせて一体化して一つの鍋としたものである。
【００２２】
この図８に示す第３の実施の形態の鍋は、組み合わせた四つの小鍋４０を一体に保つために、針金等よりなる結合部材４１を用いている。これにより四つの小鍋４１を一体化すると共に又簡単に分離することもできる。
【００２３】
また、各小鍋を磁力を利用することにより、容易に分離し得て、しかも一体に組み合わせた鍋とすることが可能になる。
【００２４】
図９は、本考案の第３の実施の形態の変形例で、（Ａ）に示すような形状の針金にて形成した枠５０を形成し、この枠５０に図９の（Ｂ）に示すように図８の小鍋４０を挿入したものである。図９の（Ｂ）には枠５０内に一つの小鍋４０が挿入された状態が示されているが、全体では四つの小鍋４０が配置され、これら小鍋にて夫々別の料理を行ない得る。尚、枠５０の底には網５１等が設けられている。
【００２５】
以上述べた、実施の形態は、いずれも円形状の鍋を４分割した区割りあるいは小鍋を利用するものである。しかし、これに限るものではない。例えば、図１等に示す第１の実施の形態における鍋において、一つの仕切り板により区切った二つの区割りや１２０°ずつ区切った三つの区割り等でもよい。また、小鍋も四つに限らず二つあるいは三つの小鍋等、いずれにてもよい。また、小鍋の形状も図示するものに限ることはない。その場合、複数の小鍋を組み合わせて一体化した時に一つの大きな鍋を形成するような形状になることが望ましい。
【００２６】
【考案の効果】
この考案の鍋は、仕切り板にて区切られた複数の区画あるいは複数の小鍋にて夫々別々の料理を同時に行なうことができる。しかも各区画、小鍋に夫々蓋を設けたことにより一つの料理の味や香りが他に移ることがない。また、区割りに網状のざるを配置して料理途中で一つのざるあるいは一つの小鍋を外すことも可能であり、極めて便利な鍋である。
【図面の簡単な説明】
【図１】本考案の第１の実施の形態の鍋を示す図
【図２】図１に示す鍋の蓋をした状態を示す図
【図３】図１、図２の鍋にて用いるざるを示す図
【図４】図１、図２の鍋にて用いる蓋を示す図
【図５】本考案の第２の実施の形態の鍋を示す図
【図６】本考案の第２の実施の形態の鍋で、底が設けられていない外鍋の形状を示す図
【図７】本考案の第２の実施の形態の鍋で、小鍋を鍔つきとした鍋を示す図
【図８】本考案の第３の実施の形態の鍋を示す図
【図９】本考案の第３の実施の形態の鍋の他の例を示す図
【符号の説明】
１　　　鍋
２　　　仕切り板
３　　　ざる
４　　　蓋
１０　　鍋
１１　　小鍋
１２　　蓋
３０　　外鍋
３１　　針金
３２　　小鍋
３３　　外鍋
３５　　小鍋
４０　　小鍋
４１　　結合部材
５０　　枠
５１　　網
【図１】
0003097453.tif 000003
【図２】
0003097453.tif 000004
【図３】
0003097453.tif 000005
【図４】
0003097453.tif 000006
【図５】
0003097453.tif 000007
【図６】
0003097453.tif 000008
【図７】
0003097453.tif 000009
【図８】
0003097453.tif 000010
【図９】
0003097453.tif 000011